(57)【要約】【課題】新たな通信デバイス及び／または通信コネクタの接続を認識する。【解決手段】例えば３入力、１出力のＣＭＯＳ素子によるアナログスイッチ１００を使用した構成を示す。ここでアナログスイッチ１００には、内部ＵＳＢデバイスに接続していないＰＩＮ▲３▼が新たに設けられる。まず、制御ＣＰＵ２００からの切り替え信号ＸにてＰＩＮ▲１▼とＰＩＮ▲２▼が接続されている時、ＵＳＢホスト３００には、内部ＵＳＢデバイス４００が接続された状態となっている。次に、制御ＣＰＵ２００からの切り替え信号ＸにてＰＩＮ▲１▼とＰＩＮ▲３▼が接続されている時、ＵＳＢホスト３００には何も接続されていない状態となっている。さらに、制御ＣＰＵ２００からの切り替え信号ＸにてＰＩＮ▲１▼とＰＩＮ▲４▼が接続されている時、ＵＳＢホスト３００には、内部ＵＳＢデバイス５００が接続された状態となっている。【選択図】        図１
2004334823.tif 000002
【特許請求の範囲】
【請求項１】
複数の通信デバイス及び／または通信コネクタを有し、
前記複数の通信デバイス及び／または通信コネクタが切り替え手段を介して通信ホスト回路に接続されると共に、
前記切り替え手段には、前記複数の通信デバイス及び／または通信コネクタに接続される接続端子間にそれぞれ無接続の端子が設けられる
ことを特徴とする通信線切り替え回路。
【請求項２】
請求項１記載の通信線切り替え回路において、
前記複数の通信デバイス及び／または通信コネクタは、内部通信デバイスと外部に接続される通信コネクタである
ことを特徴とする通信線切り替え回路。
【請求項３】
請求項１記載の通信線切り替え回路において、
前記通信の手段はＵＳＢ（Ｕｎｉｖｅｒｓａｌ  Ｓｅｒｉａｌ  Ｂｕｓ）である
ことを特徴とする通信線切り替え回路。
【請求項４】
請求項３記載の通信線切り替え回路において、
前記切り替え手段での切り替えは、電源ライン、ＵＳＢ−Ｐライン及びＵＳＢ−Ｎラインについて行う
ことを特徴とする通信線切り替え回路。
【請求項５】
請求項１記載の通信線切り替え回路において、
前記切り替え手段での切り替えは、前記接続される通信デバイス及び／または通信コネクタの検出、若しくは任意のメニュー制御により自動で行う
ことを特徴とする通信線切り替え回路。
【請求項６】
複数の通信デバイス及び／または通信コネクタが設けられ、
前記複数の通信デバイス及び／または通信コネクタが切り替えられて通信ホスト回路に接続されると共に、
前記複数の通信デバイス及び／または通信コネクタの切り替えの際には、間にそれぞれ無接続の期間を設ける
ことを特徴とする通信線切り替え方法。
【請求項７】
請求項６記載の通信線切り替え方法において、
前記複数の通信デバイス及び／または通信コネクタは、内部通信デバイスと外部に接続される通信コネクタである
ことを特徴とする通信線切り替え方法。
【請求項８】
請求項６記載の通信線切り替え方法において、
前記通信の手段はＵＳＢ（Ｕｎｉｖｅｒｓａｌ  Ｓｅｒｉａｌ  Ｂｕｓ）である
ことを特徴とする通信線切り替え方法。
【請求項９】
請求項８記載の通信線切り替え方法において、
前記切り替えは、電源ライン、ＵＳＢ−Ｐライン及びＵＳＢ−Ｎラインについて行う
ことを特徴とする通信線切り替え方法。
【請求項１０】
請求項６記載の通信線切り替え方法において、
前記切り替えは、前記接続される通信デバイス及び／または通信コネクタの検出、若しくは任意のメニュー制御により自動で行う
ことを特徴とする通信線切り替え方法。
【請求項１１】
複数の通信デバイス及び／または通信コネクタを有し、
前記複数の通信デバイス及び／または通信コネクタが切り替え手段を介して通信ホスト回路に接続されると共に、
前記切り替え手段には、前記複数の通信デバイス及び／または通信コネクタに接続される接続端子間にそれぞれ無接続の端子が設けられる
ことを特徴とする情報処理装置。
【請求項１２】
請求項１記載の情報処理装置において、
前記複数の通信デバイス及び／または通信コネクタは、内部通信デバイスと外部に接続される通信コネクタである
ことを特徴とする情報処理装置。
【請求項１３】
請求項１記載の情報処理装置において、
前記通信の手段はＵＳＢ（Ｕｎｉｖｅｒｓａｌ  Ｓｅｒｉａｌ  Ｂｕｓ）である
ことを特徴とする情報処理装置。
【請求項１４】
請求項３記載の情報処理装置において、
前記切り替え手段での切り替えは、電源ライン、ＵＳＢ−Ｐライン及びＵＳＢ−Ｎラインについて行う
ことを特徴とする情報処理装置。
【請求項１５】
請求項１記載の情報処理装置において、
前記切り替え手段での切り替えは、前記接続される通信デバイス及び／または通信コネクタの検出、若しくは任意のメニュー制御により自動で行う
ことを特徴とする情報処理装置。
【請求項１６】
電子番組表を取得し、前記取得された電子番組表を任意のキーワードで検索して所望の番組の放送時刻及び放送チャンネルを抽出し、前記抽出された放送時刻及び放送チャンネルの番組を受信する番組記録装置であって、
複数の通信デバイス及び／または通信コネクタを有し、
前記複数の通信デバイス及び／または通信コネクタが切り替え手段を介して通信ホスト回路に接続されると共に、
前記切り替え手段には、前記複数の通信デバイス及び／または通信コネクタに接続される接続端子間にそれぞれ無接続の端子が設けられる
ことを特徴とする番組記録装置。
【請求項１７】
請求項１６記載の番組記録装置において、
前記複数の通信デバイス及び／または通信コネクタは、内部通信デバイスと外部に接続される通信コネクタである
ことを特徴とする番組記録装置。
【請求項１８】
請求項１６記載の番組記録装置において、
前記通信の手段はＵＳＢ（Ｕｎｉｖｅｒｓａｌ  Ｓｅｒｉａｌ  Ｂｕｓ）である
ことを特徴とする番組記録装置。
【請求項１９】
請求項１８記載の番組記録装置において、
前記切り替え手段での切り替えは、電源ライン、ＵＳＢ−Ｐライン及びＵＳＢ−Ｎラインについて行う
ことを特徴とする番組記録装置。
【請求項２０】
請求項１６記載の番組記録装置において、
前記切り替え手段での切り替えは、前記接続される通信デバイス及び／または通信コネクタの検出、若しくは任意のメニュー制御により自動で行う
ことを特徴とする番組記録装置。
【発明の詳細な説明】
【０００１】
【発明の属する技術分野】
本発明は、例えばハードディスクを内蔵して放送番組の受信・記録を行う装置に使用して好適な通信線切り替え回路、通信線切り替え方法、情報処理装置及び番組記録装置に関する。詳しくは、デジタル情報等の伝送に使用される通信線の切り替えを、簡単な構成で良好に行うことができるようにしたものである。
【０００２】
【従来の技術】
従来の通信線の切り替えにおいては、一般的にハブ回路を用いて切り替えることが行われている（例えば、特許文献１参照。）。
また、２入力のいずれか一方を選択的に出力するスイッチ回路において、接続された２つの電界効果トランジスタのゲート電圧に係る切り替え操作を行って、それぞれの素子における信号の遮断／増幅を選択的に行うようにしたものもある（例えば、特許文献２参照。）。
【０００３】
【特許文献１】
特開２００１−２２７０５号公報
【特許文献２】
特開２０００−２２３９６４号公報
【０００４】
【発明が解決しようとする課題】
例えば情報処理装置において、ＵＳＢ（Ｕｎｉｖｅｒｓａｌ  Ｓｅｒｉａｌ  Ｂｕｓ）等の活線挿抜可能な信号線の切り替えを行う場合に、現状接続されているデバイスが外され、新たなデバイスに切り替わったことをホスト側が確実に認識できるようにする技術として、以下のようなものが知られている。
【０００５】
例えば、人がＵＳＢコネクタに現状接続されているデバイスを抜き（ケーブルを外し）、新たなデバイスと交換する場合には、以下の各状態が発生する。
状態▲１▼：現状のデバイスが接続されている。
状態▲２▼：現状のデバイスを外す（ＵＳＢコネクタには何も接続されていない状態＝ＵＳＢホストは現状デバイスが抜かれたことを認識する）。
状態▲３▼：新たなデバイスを接続する（ＵＳＢホストは新たなデバイスが接続されたことを認識する）。
【０００６】
そこで、このような状態の遷移を経ることによって、ＵＳＢホストは新たなＵＳＢデバイスを認識し、その新たなＵＳＢデバイス用のデバイスドライバーを準備することができる。
【０００７】
さらに、図６を参照して説明する。図６において、情報処理装置１０００に接続された現状デバイスをＵＳＢ接続したデジタルカメラ２０００、新たなＵＳＢデバイスをＵＳＢプリンタ３０００と仮定する。ここで情報処理装置１０００は、さらにセット内部（図示せず）にＵＳＢホストとＵＳＢデバイス（またはＵＳＢコネクタ）を持っており、これらのＵＳＢホストとＵＳＢデバイスが基板のパターン等にて接続されているものとする。
【０００８】
この場合に、ＵＳＢホストのポート数とＵＳＢデバイスが同じであるならば、切り替えの必要は無いが、例えばホストのポート数よりも多いＵＳＢデバイスを接続したい場合は、デバイスを切り替えることが必要になる。ところがこの切り替えは、セット内部のデバイスの切り替えであるため、各デバイスは基板パターンにて接続されており、上述のようにＵＳＢケーブルを外して切り替えるという訳には行かない。このため、何らかの電気的、メカ的な切り替えが必要となる。
【０００９】
そこで、例えばＣＭＯＳ素子によるアナログスイッチにて、電気的に切り替える場合を考えてみる。ここでＣＭＯＳ素子によるアナログスイッチを使用して単に切り替えるだけであるのならば、例えば図７に示すように、２入力、１出力のアナログスイッチ１００を使用すれば切り替えられる。なお、図７において、ＵＳＢ信号には、電源ライン、ＵＳＢ−Ｐライン、ＵＳＢ−Ｎライン、接地ラインの４本の信号線があるが、図示ではＵＳＢ−Ｐのラインのみを示す。
【００１０】
すなわち、この場合の状態遷移は、上述の状態▲１▼〜状態▲３▼で考えると以下のようになる。まず、制御ＣＰＵ２００からの切り替え信号ＸにてＰＩＮ▲１▼とＰＩＮ▲２▼が接続されている時、ＵＳＢホスト３００には、図８のＡに示すように、内部ＵＳＢデバイス４００が接続された状態となっている。これは上述の状態▲１▼に相当する。
【００１１】
次に、制御ＣＰＵ２００からの切り替え信号ＸにてＰＩＮ▲１▼とＰＩＮ▲３▼が接続されている時、ＵＳＢホスト３００には、図８のＢに示すように、内部ＵＳＢデバイス５００が接続された状態となっている。これは上述の状態▲３▼に相当する。そしてこの場合に、制御ＣＰＵ２００からの切り替え信号Ｘによる切り替えは瞬時に行われるものである。
【００１２】
従って、この状態の遷移を表すと、図８のＣに示すように、状態▲１▼から状態▲３▼に瞬時に切り替わることになり、ここには状態▲２▼がないために、ＵＳＢホスト３００は内部ＵＳＢデバイス４００が外され内部ＵＳＢデバイス５００に切り替わったことを検出できないことになる。このため、ＵＳＢホスト３００は内部ＵＳＢデバイス５００のドライバーに切り替えられず、内部ＵＳＢデバイス５００を動作させることができない。
【００１３】
これに対して、上述の特許文献１は、いわゆるハブ回路を用いるものである。従ってハブ回路によって同時接続が可能になるものであるが、ハブ回路を設けることは回路規模の増加を招くものである。また、特許文献２は、上述のＣＭＯＳ素子によるアナログスイッチに相当するものであり、切り換えを良好に行うことができないものである。
【００１４】
この出願はこのような点に鑑みて成されたものであって、解決しようとする問題点は、従来の装置では、ＵＳＢホストのポート数よりも多い内部ＵＳＢデバイスが基板パターンにて接続されていると、ＵＳＢホストは一の内部ＵＳＢデバイスが外され次の内部ＵＳＢデバイスに切り替わったことを検出できないことになり、次の内部ＵＳＢデバイスのドライバーへの切り替えが行われず、次の内部ＵＳＢデバイスを動作させることができなくなる恐れがあったというものである。
【００１５】
【課題を解決するための手段】
このため本発明においては、複数の通信デバイス及び／または通信コネクタが切り替えられて通信ホスト回路に接続されると共に、複数の通信デバイス及び／または通信コネクタの切り替えの際には、間にそれぞれ無接続の期間を設けるようにしたものであって、これによれば、通信ホスト回路は新たな通信デバイス及び／または通信コネクタを認識し、その新たな通信デバイス及び／または通信コネクタ用のデバイスドライバーを準備することができる。
【００１６】
【発明の実施の形態】
すなわち本発明の通信線切り替え回路においては、複数の通信デバイス及び／または通信コネクタを有し、複数の通信デバイス及び／または通信コネクタが切り替え手段を介して通信ホスト回路に接続されると共に、切り替え手段には、複数の通信デバイス及び／または通信コネクタに接続される接続端子間にそれぞれ無接続の端子が設けられてなるものである。
【００１７】
また、本発明の通信線切り替え方法においては、複数の通信デバイス及び／または通信コネクタが設けられ、複数の通信デバイス及び／または通信コネクタが切り替えられて通信ホスト回路に接続されると共に、複数の通信デバイス及び／または通信コネクタの切り替えの際には、間にそれぞれ無接続の期間を設けてなるものである。
【００１８】
さらに本発明の情報処理装置においては、複数の通信デバイス及び／または通信コネクタを有し、複数の通信デバイス及び／または通信コネクタが切り替え手段を介して通信ホスト回路に接続されると共に、切り替え手段には、複数の通信デバイス及び／または通信コネクタに接続される接続端子間にそれぞれ無接続の端子が設けられてなるものである。
【００１９】
また、本発明は、電子番組表を取得し、取得された電子番組表を任意のキーワードで検索して所望の番組の放送時刻及び放送チャンネルを抽出し、抽出された放送時刻及び放送チャンネルの番組を受信する番組記録装置であって、複数の通信デバイス及び／または通信コネクタを有し、複数の通信デバイス及び／または通信コネクタが切り替え手段を介して通信ホスト回路に接続されると共に、切り替え手段には、複数の通信デバイス及び／または通信コネクタに接続される接続端子間にそれぞれ無接続の端子が設けられてなるものである。
【００２０】
以下、図面を参照して本発明を説明するに、図１は本発明による通信線切り替え回路、通信線切り替え方法、情報処理装置及び番組記録装置を適用した装置の要部の一実施形態の構成を示すブロック図である。なお、図１の説明において、上述の図７と対応する部分には同一の符号を付して重複の説明を省略する。
【００２１】
図１において、この実施形態では、例えば３入力、１出力のＣＭＯＳ素子によるアナログスイッチ１００を使用した構成を示す。ここでアナログスイッチ１００には、内部ＵＳＢデバイスに接続していないＰＩＮ▲３▼が新たに設けられる。
【００２２】
従って、この場合の状態遷移は、上述の状態▲１▼〜状態▲３▼で考えると以下のようになる。まず、制御ＣＰＵ２００からの切り替え信号ＸにてＰＩＮ▲１▼とＰＩＮ▲２▼が接続されている時、ＵＳＢホスト３００には、図２のＡに示すように、内部ＵＳＢデバイス４００が接続された状態となっている。これは上述の状態▲１▼に相当する。
【００２３】
次に、制御ＣＰＵ２００からの切り替え信号ＸにてＰＩＮ▲１▼とＰＩＮ▲３▼が接続されている時、ＵＳＢホスト３００には、図２のＢのように、何も接続されていない状態となっている。これは上述の状態▲２▼に相当する。
【００２４】
さらに、制御ＣＰＵ２００からの切り替え信号ＸにてＰＩＮ▲１▼とＰＩＮ▲４▼が接続されている時、ＵＳＢホスト３００には、図２のＣのように、内部ＵＳＢデバイス５００が接続された状態となっている。これは上述の状態▲３▼に相当する。
【００２５】
ここで内部ＵＳＢデバイス４００から内部ＵＳＢデバイス５００に切り替える際に切り替え信号ＸにてＰＩＮ▲１▼とＰＩＮ▲３▼を接続した状態を一定時間保持することにより、状態変化は図２のＤに示すようになる。
【００２６】
さらに、この状態の遷移を表すと、図２のＥに示すように、状態▲１▼から状態▲２▼を経て状態▲３▼に切り替わることになり、これはまさに上述の図６に示した、人がＵＳＢデバイスを交換する場合の状態遷移と全く同等の状態遷移となっている。
【００２７】
つまり、今回の発明の「ＵＳＢでバイスを切り替えるときに、一定時間何も接続されない状態を経由して切り替えるようにする」ということは、人がＵＳＢデバイスのケーブルを外し、接続を切り替える際の状態と電気的に全く同じ状態をシミュレートできることになる。
【００２８】
従ってこの実施形態において、複数の通信デバイス及び／または通信コネクタが切り替えられて通信ホスト回路に接続されると共に、複数の通信デバイス及び／または通信コネクタの切り替えの際には、間にそれぞれ無接続の期間を設けるようにしたことによって、通信ホスト回路は新たな通信デバイス及び／または通信コネクタを認識し、その新たな通信デバイス及び／または通信コネクタ用のデバイスドライバーを準備することができる。
【００２９】
すなわち、本発明により、確実にＵＳＢホストコントローラーは現状のＵＳＢデバイスが抜かれ、新たなＵＳＢデバイスが接続されていたことを検出できるため、新たなＵＳＢデバイス用のドライバーを起動できる。
【００３０】
これによって、従来の装置では、ＵＳＢホストのポート数よりも多い内部ＵＳＢデバイスが基板パターンにて接続されていると、ＵＳＢホストは一の内部ＵＳＢデバイスが外され次の内部ＵＳＢデバイスに切り替わったことを検出できないことになり、次の内部ＵＳＢデバイスのドライバーへの切り替えが行われず、次の内部ＵＳＢデバイスを動作させることができなくなる恐れがあったものを、本発明によればこれらの問題点を容易に解消することができるものである。
【００３１】
なお、本発明は、上述のＣＭＯＳ素子によるアナログスイッチに限らず、電子リレー等でも実現可能である。また２入力のアナログスイッチであっても、信号の出力をコントロールできる機能、すなわち、イネーブル機能、信号出力をＯＮ／ＯＦＦできる機能のあるスイッチならば実現可能である。
【００３２】
さらに、本発明は、信号を切り替えることのできる回路であるならば、ＣＭＯＳ素子である必要は無く、トランジスタ切り替え回路、ＴＴＬ等でも問題ない。また、信号を切り替えることのできる回路であるならば、アナログスイッチである必要は無く、マルチプレクサ、バススイッチ等でも実施可能である。
【００３３】
また、本発明は、例えばハードディスクを内蔵して放送番組の受信・記録を行う番組記録装置にも適用されるものである。以下、番組記録装置に適用した場合について本発明を説明するに、図３は、本発明を適用した番組記録装置の一実施形態の構成を示すブロック図である。
【００３４】
すなわち、図３において、この実施形態に示される番組記録装置１０には、いわゆる地上波放送の受信チューナ（以下、地上波チューナと略称する）１が内蔵され、この地上波チューナ１には、アンテナ端子１１に接続される地上波放送の受信アンテナ（以下、地上波アンテナと略称する）２０からの受信信号が供給される。
【００３５】
また、いわゆる衛星（ＣＳ）放送の受信アンテナ（以下、衛星アンテナと略称する）３０からの受信信号が、外付けの衛星放送の受信チューナ（以下、ＣＳチューナと略称する）３１に供給され、受信復調されたデジタルデータ信号と、さらにデコードされたアナログテレビジョン信号が取り出される。
【００３６】
さらに、外付けのＣＳチューナ３１から取り出されるアナログテレビジョン信号が、番組記録装置１０のアナログ入力端子１２に供給されると共に、ＣＳチューナ３１から取り出されるデジタルデータ信号が、番組記録装置１０のデータ入力端子１３に供給される。
【００３７】
そして、データ入力端子１３に供給されるデジタルデータ信号が、制御ＣＰＵ（Ｃｅｎｔｒａｌ  Ｐｒｏｃｅｓｓｉｎｇ  Ｕｎｉｔ）２に供給され、例えばデジタルデータ信号中に含まれる電子番組表（Ｅｌｅｃｔｒｉｃ  ＰｒｏｇｒａｍＧｕｉｄｅ：以下、ＥＰＧと略称する）のデータが取得されて、電子番組表が形成される。
【００３８】
また、番組記録装置１０に内蔵の地上波チューナ１で受信復調されるアナログテレビジョン信号からも、重畳されたＥＰＧのデータが取り出されて、制御ＣＰＵ２に供給される。この地上波のＥＰＧのデータについても電子番組表が形成される。
【００３９】
そして、例えば形成される電子番組表を用いて、記録される所望の番組の放送時間帯と放送チャンネル等が設定され、この設定された内容に応じて記録手段となるハードディスク装置３が駆動されると共に、内蔵の地上波チューナ１及び外付けのＣＳチューナ３１に選局等の制御信号が供給される。
【００４０】
これによって、内蔵の地上波チューナ１及び外付けのＣＳチューナ３１で、受信復調及びデコードされたテレビジョン信号の映像信号及び音声信号等がハードディスク装置３に記録される。なお、ハードディスク装置３での記録再生に当っては、周知のＡ／Ｄ、Ｄ／Ａ変換等が行われるが、図示は省略する。
【００４１】
さらに、ハードディスク装置３に記録されたテレビジョン信号の映像信号及び音声信号等が、制御ＣＰＵ２の制御に従って再生され、混合器４を通じて出力端子１４に取り出される。そして出力端子１４に取り出された信号は、受像機４０に供給されて、映像信号の表示及び音声信号の放音等が行われる。
【００４２】
また、制御ＣＰＵ２で形成された電子番組表の画像や、その他の操作ガイドの画像が、混合器４に供給され、ハードディスク装置３から再生される映像信号に重畳される。これにより、これらの電子番組表や操作ガイド等の画像は、受像機４０で受像される映像信号の画面に重畳して表示される。
【００４３】
これらの電子番組表や操作ガイド等の画像を見ながら、あるいは見ずに、リモートコントロール装置５０を用いて、番組記録装置１０の制御が行われる。なお、制御は、リモートコントロール装置５０からの信号がリモートコントロール受信機１５で受信され、その受信信号が制御ＣＰＵ２に供給されて行われる。
【００４４】
そしてこの番組記録装置１０においては、図３には図示されていないが、内部ＵＳＢデバイスとして、例えばメモリーカードの読み取りを行うためのドライブ回路やＬＡＮ接続を行うためのイーサネット（登録商標）変換回路が設けられている。また、この番組記録装置１０においては、それぞれＵＳＢコネクタの外部端子１６と、拡張端子１７が設けられている。
【００４５】
このような場合に、ＵＳＢのホストは、例えば図４のＡに実線で示すように、４つのポートを持つ必要がある。または、図４のＢに実線で示すように、ハブ回路を持つ必要がある。ここで、各デバイスや、コネクタが同時に動作することが無い、または、動作させる必要が無い場合、ＵＳＢホストのポートを減らし、各デバイスを切り替える回路をつけたことが本発明の実施形態である。
【００４６】
すなわち、以下のようにすることによりＵＳＢホストのポートを２つにでき、またハブ回路を追加する必要が無くなる。まず、図４のＡに破線で示すように、装置内蔵ＵＳＢデバイス１とＵＳＢコネクタ１を切り替えて使用する。また、装置内蔵ＵＳＢデバイス２とＵＳＢコネクタ２を切り替えて使用する。ここで、ＵＳＢホストコントローラーが２ポートの場合、本技術なしでは、ホストコントローラーが２つ必要となるが、本技術を使用すればホストコントローラーは１つで済むものである。
【００４７】
さらに、本発明の要部の具体的な構成を図５に示す。ここではＵＳＢデバイス１とＵＳＢコネクタ１を切り替えている場合を示す。なお、切り替え信号は、
ＵＳＢデバイス１がメカ的な検出方法を持つ。
メニュー等で切り替える。
リモコン信号で切り替える。
等の方法で切り替える。
【００４８】
そしてこの場合に、切り替えに際しホストの信号がどちらにも接続されていない状態を作ることができるようにする。すなわち、あるデバイスが確実に切り離され、新たなデバイスが接続されたことを判別するため、どちらにも接続されない状態（ＮＣ部分）を作る。
【００４９】
なお、上述の図５では、ＵＳＢデバイス１とＵＳＢコネクタ１の実施形態を示したが、デバイスとデバイスでも同様に切り替えができる。また、もっと多くのデバイスの切り替えも、同時に使用しない限りかのうである。さらに本発明は、ＵＳＢの切り替えだけではなく、その他の活線挿抜可能な信号線に対しても対応可能なものである。
【００５０】
従ってこの実施形態において、複数の通信デバイス及び／または通信コネクタが切り替えられて通信ホスト回路に接続されると共に、複数の通信デバイス及び／または通信コネクタの切り替えの際には、間にそれぞれ無接続の期間を設けるようにしたことによって、通信ホスト回路は新たな通信デバイス及び／または通信コネクタを認識し、その新たな通信デバイス及び／または通信コネクタ用のデバイスドライバーを準備することができる。
【００５１】
これによって、従来の装置では、ＵＳＢホストのポート数よりも多い内部ＵＳＢデバイスが基板パターンにて接続されていると、ＵＳＢホストは一の内部ＵＳＢデバイスが外され次の内部ＵＳＢデバイスに切り替わったことを検出できないことになり、次の内部ＵＳＢデバイスのドライバーへの切り替えが行われず、次の内部ＵＳＢデバイスを動作させることができなくなる恐れがあったものを、本発明によればこれらの問題点を容易に解消することができるものである。
【００５２】
こうして上述の通信線切り替え回路によれば、複数の通信デバイス及び／または通信コネクタを有し、複数の通信デバイス及び／または通信コネクタが切り替え手段を介して通信ホスト回路に接続されると共に、切り替え手段には、複数の通信デバイス及び／または通信コネクタに接続される接続端子間にそれぞれ無接続の端子が設けられることにより、通信ホスト回路は新たな通信デバイス及び／または通信コネクタを認識し、その新たな通信デバイス及び／または通信コネクタ用のデバイスドライバーを準備することができるものである。
【００５３】
また、上述の通信線切り替え方法によれば、複数の通信デバイス及び／または通信コネクタが設けられ、複数の通信デバイス及び／または通信コネクタが切り替えられて通信ホスト回路に接続されると共に、複数の通信デバイス及び／または通信コネクタの切り替えの際には、間にそれぞれ無接続の期間を設けてなることにより、通信ホスト回路は新たな通信デバイス及び／または通信コネクタを認識し、その新たな通信デバイス及び／または通信コネクタ用のデバイスドライバーを準備することができるものである。
【００５４】
さらに上述の情報処理装置によれば、複数の通信デバイス及び／または通信コネクタを有し、複数の通信デバイス及び／または通信コネクタが切り替え手段を介して通信ホスト回路に接続されると共に、切り替え手段には、複数の通信デバイス及び／または通信コネクタに接続される接続端子間にそれぞれ無接続の端子が設けられてなることにより、通信ホスト回路は新たな通信デバイス及び／または通信コネクタを認識し、その新たな通信デバイス及び／または通信コネクタ用のデバイスドライバーを準備することができるものである。
【００５５】
また、上述の番組記録装置によれば、複数の通信デバイス及び／または通信コネクタを有し、複数の通信デバイス及び／または通信コネクタが切り替え手段を介して通信ホスト回路に接続されると共に、切り替え手段には、複数の通信デバイス及び／または通信コネクタに接続される接続端子間にそれぞれ無接続の端子が設けられてなることにより、通信ホスト回路は新たな通信デバイス及び／または通信コネクタを認識し、その新たな通信デバイス及び／または通信コネクタ用のデバイスドライバーを準備することができるものである。
【００５６】
なお本発明は、上述の説明した実施の形態に限定されるものではなく、本発明の精神を逸脱することなく種々の変形が可能とされるものである。
【００５７】
【発明の効果】
従って請求項１の発明によれば、複数の通信デバイス及び／または通信コネクタが切り替えられて通信ホスト回路に接続されると共に、複数の通信デバイス及び／または通信コネクタの切り替えの際には、間にそれぞれ無接続の期間を設けるようにしたことによって、通信ホスト回路は新たな通信デバイス及び／または通信コネクタを認識し、その新たな通信デバイス及び／または通信コネクタ用のデバイスドライバーを準備することができるものである。
【００５８】
また、請求項２の発明によれば、複数の通信デバイス及び／または通信コネクタは、内部通信デバイスと外部に接続される通信コネクタであることによって、これらの回路の切り換えを良好に行うことができるものである。
【００５９】
また、請求項３の発明によれば、通信の手段はＵＳＢ（Ｕｎｉｖｅｒｓａｌ  Ｓｅｒｉａｌ  Ｂｕｓ）であることによって、ＵＳＢの通信に適用することができるものである。
【００６０】
また、請求項４の発明によれば、切り替え手段での切り替えは、電源ライン、ＵＳＢ−Ｐライン及びＵＳＢ−Ｎラインについて行うことによって、ＵＳＢ回路の切り換えを良好に行うことができるものである。
【００６１】
また、請求項５の発明によれば、切り替え手段での切り替えは、前記接続される通信デバイス及び／または通信コネクタの検出、若しくは任意のメニュー制御により自動で行うことによって、回路の切り換えを良好に行うことができるものである。
【００６２】
さらに請求項６の発明によれば、複数の通信デバイス及び／または通信コネクタが切り替えられて通信ホスト回路に接続されると共に、複数の通信デバイス及び／または通信コネクタの切り替えの際には、間にそれぞれ無接続の期間を設けるようにしたことによって、通信ホスト回路は新たな通信デバイス及び／または通信コネクタを認識し、その新たな通信デバイス及び／または通信コネクタ用のデバイスドライバーを準備することができるものである。
【００６３】
また、請求項７の発明によれば、複数の通信デバイス及び／または通信コネクタは、内部通信デバイスと外部に接続される通信コネクタであることによって、これらの回路の切り換えを良好に行うことができるものである。
【００６４】
また、請求項８の発明によれば、通信の手段はＵＳＢ（Ｕｎｉｖｅｒｓａｌ  Ｓｅｒｉａｌ  Ｂｕｓ）であることによって、ＵＳＢの通信に適用することができるものである。
【００６５】
また、請求項９の発明によれば、切り替え手段での切り替えは、電源ライン、ＵＳＢ−Ｐライン及びＵＳＢ−Ｎラインについて行うことによって、ＵＳＢ回路の切り換えを良好に行うことができるものである。
【００６６】
また、請求項１０の発明によれば、切り替え手段での切り替えは、前記接続される通信デバイス及び／または通信コネクタの検出、若しくは任意のメニュー制御により自動で行うことによって、回路の切り換えを良好に行うことができるものである。
【００６７】
さらに請求項１１の発明によれば、複数の通信デバイス及び／または通信コネクタが切り替えられて通信ホスト回路に接続されると共に、複数の通信デバイス及び／または通信コネクタの切り替えの際には、間にそれぞれ無接続の期間を設けるようにしたことによって、通信ホスト回路は新たな通信デバイス及び／または通信コネクタを認識し、その新たな通信デバイス及び／または通信コネクタ用のデバイスドライバーを準備することができるものである。
【００６８】
また、請求項１２の発明によれば、複数の通信デバイス及び／または通信コネクタは、内部通信デバイスと外部に接続される通信コネクタであることによって、これらの回路の切り換えを良好に行うことができるものである。
【００６９】
また、請求項１３の発明によれば、通信の手段はＵＳＢ（ＵｎｉｖｅｒｓａｌＳｅｒｉａｌ  Ｂｕｓ）であることによって、ＵＳＢの通信に適用することができるものである。
【００７０】
また、請求項１４の発明によれば、切り替え手段での切り替えは、電源ライン、ＵＳＢ−Ｐライン及びＵＳＢ−Ｎラインについて行うことによって、ＵＳＢ回路の切り換えを良好に行うことができるものである。
【００７１】
また、請求項１５の発明によれば、切り替え手段での切り替えは、前記接続される通信デバイス及び／または通信コネクタの検出、若しくは任意のメニュー制御により自動で行うことによって、回路の切り換えを良好に行うことができるものである。
【００７２】
さらに請求項１６の発明によれば、複数の通信デバイス及び／または通信コネクタが切り替えられて通信ホスト回路に接続されると共に、複数の通信デバイス及び／または通信コネクタの切り替えの際には、間にそれぞれ無接続の期間を設けるようにしたことによって、通信ホスト回路は新たな通信デバイス及び／または通信コネクタを認識し、その新たな通信デバイス及び／または通信コネクタ用のデバイスドライバーを準備することができるものである。
【００７３】
また、請求項１７の発明によれば、複数の通信デバイス及び／または通信コネクタは、内部通信デバイスと外部に接続される通信コネクタであることによって、これらの回路の切り換えを良好に行うことができるものである。
【００７４】
また、請求項１８の発明によれば、通信の手段はＵＳＢ（ＵｎｉｖｅｒｓａｌＳｅｒｉａｌ  Ｂｕｓ）であることによって、ＵＳＢの通信に適用することができるものである。
【００７５】
また、請求項１９の発明によれば、切り替え手段での切り替えは、電源ライン、ＵＳＢ−Ｐライン及びＵＳＢ−Ｎラインについて行うことによって、ＵＳＢ回路の切り換えを良好に行うことができるものである。
【００７６】
また、請求項２０の発明によれば、切り替え手段での切り替えは、前記接続される通信デバイス及び／または通信コネクタの検出、若しくは任意のメニュー制御により自動で行うことによって、回路の切り換えを良好に行うことができるものである。
【００７７】
これによって、従来の装置では、ＵＳＢホストのポート数よりも多い内部ＵＳＢデバイスが基板パターンにて接続されていると、ＵＳＢホストは一の内部ＵＳＢデバイスが外され次の内部ＵＳＢデバイスに切り替わったことを検出できないことになり、次の内部ＵＳＢデバイスのドライバーへの切り替えが行われず、次の内部ＵＳＢデバイスを動作させることができなくなる恐れがあったものを、本発明によればこれらの問題点を容易に解消することができるものである。
【００７８】
そして、上述した本発明によれば、ＵＳＢホストコントローラーを極力減らすことが可能となる。ハブ回路も不要とすることができる。また、安価な切り替え回路を採用することによりコストを下がることが可能となる。さらに、基板の実装面積を減らすことができるものである。
【図面の簡単な説明】
【図１】本発明による通信線切り替え回路、通信線切り替え方法、情報処理装置及び番組記録装置を適用した装置の要部の一実施形態の構成を示すブロック図である。
【図２】その動作の説明のための図である。
【図３】本発明を適用した番組記録装置の一実施形態の構成を示すブロック図である。
【図４】その動作の説明のための図である。
【図５】本発明の要部の具体的な構成を示す構成図である。
【図６】本発明の前提となる従来の動作の説明のための図である。
【図７】従来の通信線切り替え回路の構成を示すブロック図である。
【図８】その動作の説明のための図である。
【符号の説明】
１００…アナログスイッチ、２００…制御ＣＰＵ、３００…ＵＳＢホスト、４００，５００…内部ＵＳＢデバイス
【図１】
2004334823.tif 000003
【図２】
2004334823.tif 000004
【図３】
2004334823.tif 000005
【図４】
2004334823.tif 000006
【図５】
2004334823.tif 000007
【図６】
2004334823.tif 000008
【図７】
2004334823.tif 000009
【図８】
2004334823.tif 000010